(57)【要約】マッサージ用靴であって、前記マッサージ用靴は、靴本体部分を有し、該靴本体部分は、振動伝達材料から形成されており、かつ内側表面を有し、該内側表面は、複数の一体的に形成された隆起した表面要素を有し、かつ、前記マッサージ用靴は、バイブレータを有し、該バイブレータは、振動を生成するように作動可能であり、前記振動が、前記振動伝達材料および前記一体的に形成された隆起した表面要素を介して、前記靴の着用者の足に伝達される、前記マッサージ用靴。【選択図】図１Ａ
2014507212.tif 000002
【特許請求の範囲】
【請求項１】
マッサージ用靴であって、前記マッサージ用靴は、
靴本体部分を有し、該靴本体部分は、振動伝達材料から形成されており、かつ内側表面を有し、該内側表面は、複数の一体的に形成された隆起した表面要素を有し、かつ、
バイブレータを有し、該バイブレータは、振動を生成するように作動可能であり、前記振動が、前記振動伝達材料および前記一体的に形成された隆起した表面要素を介して、前記靴の着用者の足に伝達される、
前記マッサージ用靴。
【請求項２】
マッサージ制御システムも有し、該マッサージ制御システムは、少なくとも１つの前記マッサージ用靴の前記バイブレータを制御するように作動可能である、請求項１に記載のマッサージ用靴。
【請求項３】
前記振動伝達材料が、エラストマー材料である、請求項１および２のいずれか１項に記載のマッサージ用靴。
【請求項４】
前記バイブレータが、内部電源を有し、かつ、前記振動を生成するように作動可能である内蔵モータ機構を有する、請求項１−３のいずれか１項に記載のマッサージ用靴。
【請求項５】
前記内側表面が、前記靴の着用者の足の側面および上面に係合するように構成された表面部分を有する、請求項１−４のいずれか１項に記載のマッサージ用靴。
【請求項６】
前記内側表面がまた、前記靴の着用者の足の底面に係合する底面部分を有する、請求項５に記載のマッサージ用靴。
【請求項７】
前記一体的に形成された隆起した表面要素が、靴用中敷き上にも形成されており、該靴用中敷きは、前記靴内に挿入されるものである、請求項５に記載のマッサージ用靴。
【請求項８】
少なくとも１つの伸縮性ゴアも有する、請求項１−７のいずれか１項に記載のマッサージ用靴。
【請求項９】
少なくとも１つの固定用ストラップも有する、請求項１−８のいずれか１項に記載のマッサージ用靴。
【請求項１０】
電気接続も有し、該電気接続は、前記靴を外部電源に接続するために作動可能である、請求項１−９のいずれか１項に記載のマッサージ用靴。
【請求項１１】
前記内部電源が、充電式電源である、請求項４に記載のマッサージ用靴。
【請求項１２】
前記充電式電源が電池である、請求項１１に記載のマッサージ用靴。
【請求項１３】
前記内蔵モータ機構が、集積回路を有し、該集積回路は、前記内蔵モータ機構を制御するように作動可能である、請求項４に記載のマッサージ用靴。
【請求項１４】
前記内蔵モータ機構がまた、少なくとも２つの別個の偏心駆動モータを有し、該モータの各々は、振動を生成するように作動可能であり、該振動は、前記靴のそれぞれ前方部分および後方部分の全体にわたって伝達される、請求項４および請求項１３のいずれか１項に記載のマッサージ用靴。
【請求項１５】
前記内蔵モータ機構がまた、前記偏心駆動モータを収容するための２つの駆動モータ用ケーシングを有する、請求項１４に記載のマッサージ用靴。
【請求項１６】
前記ケーシングが、前記駆動モータを音響的に遮断するように作動可能である、請求項１５に記載のマッサージ用靴。
【請求項１７】
前記振動伝達材料と前記２つの別個の偏心駆動モータとの組み合わせが、一緒になって、前記複数の一体的に形成された隆起した表面要素への、前記靴全体にわたる前記振動の概して均一な分散を達成するように作動可能である、請求項１４−１６のいずれか１項に記載のマッサージ用靴。
【請求項１８】
足用マッサージシステムであって、前記足用マッサージシステムは、
少なくとも１つのマッサージ用靴を有し、該靴は、
靴本体部分を有し、該靴本体部分は、振動伝達材料から形成されており、かつ内側表面を有し、該内側表面は、複数の一体的に形成された隆起した表面要素を有し、かつ、
バイブレータを有し、該バイブレータは、振動を生成するように作動可能であり、前記振動が、前記振動伝達材料および前記一体的に形成された隆起した表面要素を介して、前記靴の着用者の足に伝達され、かつ、
マッサージ制御システムを有し、該マッサージ制御システムは、前記靴の前記バイブレータを制御するように作動可能である、
前記足用マッサージシステム。
【請求項１９】
マッサージ制御サブシステムも有し、該マッサージ制御サブシステムは、前記少なくとも１つのマッサージ用靴の前記バイブレータを制御するように作動可能である、請求項１８に記載の足用マッサージシステム。
【請求項２０】
電池駆動式遠隔制御デバイスも有し、該遠隔制御デバイスは、前記少なくとも１つのマッサージ用靴の前記マッサージ制御サブシステムを制御するために作動可能である、請求項１９に記載の足用マッサージシステム。
【請求項２１】
前記遠隔制御デバイスが、数種類の作動速度の１つにて前記バイブレータを作動させるように、および、選択可能な期間にわたって前記バイブレータを作動させるように、前記少なくとも１つのマッサージ用靴の前記マッサージ制御サブシステムを設定するように作動可能である、請求項２０に記載の足用マッサージシステム。
【請求項２２】
前記振動伝達材料が、エラストマー材料である、請求項１８−２１のいずれか１項に記載の足用マッサージシステム。
【請求項２３】
前記バイブレータが、内部電源を有し、かつ、前記振動を生成するように作動可能である内蔵モータ機構を有する、請求項１８−２２のいずれか１項に記載の足用マッサージシステム。
【請求項２４】
前記内側表面が、前記靴の着用者の足の側面および上面に係合する表面部分を有する、請求項１８−２３のいずれか１項に記載の足用マッサージシステム。
【請求項２５】
前記内側表面がまた、前記靴の着用者の足の底面に係合する底面部分を有する、請求項２４に記載の足用マッサージシステム。
【請求項２６】
前記一体的に形成された隆起した表面要素が、靴用中敷き上にも形成されており、該靴用中敷きは、前記靴内に挿入されるものである、請求項２４に記載の足用マッサージシステム。
【請求項２７】
少なくとも１つの伸縮性ゴアも有する、請求項１８−２６のいずれか１項に記載の足用マッサージシステム。
【請求項２８】
少なくとも１つの固定用ストラップも有する、請求項１８−２７のいずれか１項に記載の足用マッサージシステム。
【請求項２９】
電気接続も有し、該電気接続は、前記靴を外部電源に接続するために作動可能である、請求項１８−２８のいずれか１項に記載の足用マッサージシステム。
【請求項３０】
前記内部電源が、充電式電源である、請求項２３に記載の足用マッサージシステム。
【請求項３１】
前記充電式電源が電池である、請求項３０に記載の足用マッサージシステム。
【請求項３２】
前記内蔵モータ機構が、集積回路を有し、該集積回路は、前記内蔵モータ機構を制御するように作動可能である、請求項２３に記載の足用マッサージシステム。
【請求項３３】
前記内蔵モータ機構がまた、少なくとも２つの別個の偏心駆動モータを有し、該モータの各々は、振動を生成するように作動可能であり、該振動は、前記靴のそれぞれ前方部分および後方部分の全体にわたって伝達される、請求項２３および３２のいずれか１項に記載の足用マッサージシステム。
【請求項３４】
前記内蔵モータ機構がまた、前記偏心駆動モータを収容するための２つの駆動モータ用ケーシングを有する、請求項３３に記載の足用マッサージシステム。
【請求項３５】
前記ケーシングが、前記駆動モータを音響的に遮断するように作動可能である、請求項３４に記載の足用マッサージシステム。
【請求項３６】
前記振動伝達材料と前記２つの別個の偏心駆動モータとの組み合わせが、一緒になって、前記複数の一体的に形成された隆起した表面要素への、前記靴全体にわたる前記振動の概して均一な分散を達成するように作動可能である、請求項３３−３５のいずれか１項に記載の足用マッサージシステム。
【発明の詳細な説明】
【技術分野】
【０００１】
関連出願の参照
「MASSAGE SHOES」と題する、米国仮特許出願シリアル番号第６１/４３５，８８４号（出願日：２０１１年１月２５日）を参照する。その開示は、参照することにより本明細書に組み込まれ、その優先権が、３７  ＣＦＲ  １．７８（ａ）（４）および（５）（ｉ）に従って本願で主張される。
【０００２】
発明の分野
本発明は、マッサージ用靴システムに関する。
【背景技術】
【０００３】
以下の特許公報は、当該技術分野の現状を表すと考えられる。
米国特許第５，１１３，８５０号および第６，４６４，６５４号
【発明の概要】
【０００４】
本発明は、マッサージ用靴およびマッサージ用靴システムを提供する。
【０００５】
即ち、本発明の好ましい実施形態によれば、マッサージ用靴が提供され、前記マッサージ用靴は、靴本体部分を有し、該靴本体部分は、振動伝達材料から形成されており、かつ内側表面を有し、該内側表面は、複数の一体的に形成された隆起した表面要素を有し、かつ、前記マッサージ用靴は、バイブレータを有し、該バイブレータは、振動を生成するように作動可能であり、前記振動が、前記振動伝達材料および前記一体的に形成された隆起した表面要素を介して、前記靴の着用者の足に伝達される。
【０００６】
本発明の好ましい実施形態によれば、前記靴はまた、マッサージ制御システムを有し、該マッサージ制御システムは、少なくとも１つの前記マッサージ用靴の前記バイブレータを制御するように作動可能である。好ましくは、前記振動伝達材料は、エラストマー材料である。好ましくは、前記バイブレータは、内部電源を有し、かつ、前記振動を生成するように作動可能である内蔵モータ機構を有する。
【０００７】
好ましくは、前記内側表面は、前記靴の着用者の足の側面および上面に係合する表面部分を有する。好ましくは、前記内側表面はまた、前記靴の着用者の足の底面に係合する底面部分を有する。代替的には、前記一体的に形成された隆起した表面要素は、靴用中敷き上にも形成されており、該靴用中敷きは、前記靴内に挿入されるものである。
【０００８】
好ましくは、前記靴はまた、少なくとも１つの伸縮性ゴアを有する。追加的には、前記靴はまた、少なくとも１つの固定用ストラップを有する。好ましくは、前記靴はまた、電気接続を有し、該電気接続は、前記靴を外部電源に接続するために作動可能である。好ましくは、前記内部電源は、充電式電源である。好ましくは、前記充電式電源は電池である。好ましくは、前記内蔵モータ機構は、集積回路を有し、該集積回路は、前記内蔵モータ機構を制御するように作動可能である。
【０００９】
好ましくは、前記内蔵モータ機構はまた、少なくとも２つの別個の偏心駆動モータを有し、該モータの各々は、振動を生成するように作動可能であり、該振動は、前記靴のそれぞれ前方部分および後方部分の全体にわたって伝達される。好ましくは、前記内蔵モータ機構はまた、前記偏心駆動モータを収容するための２つの駆動モータ用ケーシングを有する。好ましくは、前記ケーシングは、前記駆動モータを音響的に遮断するように作動可能である。
【００１０】
本発明の好ましい実施形態によれば、前記振動伝達材料と前記２つの別個の偏心駆動モータとの組み合わせは、一緒になって、前記複数の一体的に形成された隆起した表面要素への、前記靴全体にわたる前記振動の概して均一な分散を達成するように作動可能である。
【００１１】
本発明の別の好ましい実施形態によれば、足用マッサージシステムもまた提供され、前記足用マッサージシステムは、少なくとも１つのマッサージ用靴を有し、該靴は、靴本体部分を有し、該靴本体部分は、振動伝達材料から形成されており、かつ内側表面を有し、該内側表面は、複数の一体的に形成された隆起した表面要素を有し、かつ、前記靴は、バイブレータを有し、該バイブレータは、振動を生成するように作動可能であり、前記振動が、前記振動伝達材料および前記一体的に形成された隆起した表面要素を介して、前記靴の着用者の足に伝達され、かつ、前記足用マッサージシステムは、マッサージ制御システムを有し、該マッサージ制御システムは、前記靴の前記バイブレータを制御するように作動可能である。
【００１２】
本発明の好ましい実施形態によれば、前記靴はまた、マッサージ制御サブシステムを有し、該マッサージ制御サブシステムは、前記少なくとも１つのマッサージ用靴の前記バイブレータを制御するように作動可能である。好ましくは、前記システムはまた、電池駆動式遠隔制御デバイスを有し、該遠隔制御デバイスは、前記少なくとも１つのマッサージ用靴の前記マッサージ制御サブシステムを制御するために作動可能である。好ましくは、前記遠隔制御デバイスは、数種類の作動速度の１つにて前記バイブレータを作動させるように、および、選択可能な期間にわたって前記バイブレータを作動させるように、前記少なくとも１つのマッサージ用靴の前記マッサージ制御サブシステムを設定するように作動可能である。
【００１３】
好ましくは、前記振動伝達材料は、エラストマー材料である。好ましくは、前記バイブレータは、内部電源を有し、かつ、前記振動を生成するように作動可能である内蔵モータ機構を有する。
【００１４】
好ましくは、前記内側表面は、前記靴の着用者の足の側面および上面に係合する表面部分を有する。好ましくは、前記内側表面はまた、前記靴の着用者の足の底面に係合する底面部分を有する。代替的には、前記一体的に形成された隆起した表面要素は、靴用中敷き上にも形成されており、該靴用中敷きは、前記靴内に挿入されるものである。
【００１５】
好ましくは、前記靴はまた、少なくとも１つの伸縮性ゴアを有する。好ましくは、前記靴はまた、少なくとも１つの固定用ストラップを有する。好ましくは、前記靴はまた、電気接続を有し、該電気接続は、前記靴を外部電源に接続するために作動可能である。好ましくは、前記内部電源は、充電式電源である。好ましくは、前記充電式電源は電池である。
【００１６】
好ましくは、前記内蔵モータ機構は、集積回路を有し、該集積回路は、前記内蔵モータ機構を制御するように作動可能である。好ましくは、前記内蔵モータ機構はまた、少なくとも２つの別個の偏心駆動モータを有し、該モータの各々は、振動を生成するように作動可能であり、該振動は、前記靴のそれぞれ前方部分および後方部分の全体にわたって伝達される。好ましくは、前記内蔵モータ機構はまた、前記偏心駆動モータを収容するための２つの駆動モータ用ケーシングを有する。好ましくは、前記ケーシングは、前記駆動モータを音響的に遮断するように作動可能である。
【００１７】
本発明の好ましい実施形態によれば、前記振動伝達材料と前記２つの別個の偏心駆動モータとの組み合わせは、一緒になって、前記複数の一体的に形成された隆起した表面要素への、前記靴全体にわたる前記振動の概して均一な分散を達成するように作動可能である。
【図面の簡単な説明】
【００１８】
本発明は、図面とあわせて解釈される以下の詳細な説明から、より十分に理解され、把握されるであろう。
【００１９】
【図１Ａ】図１Ａは、本発明の好ましい実施形態に従って構成されかつ作動可能である、一対の足用マッサージシステムの簡略図である。
【図１Ｂ】図１Ｂは、図１Ａの線ＩＢ−ＩＢに沿って切り取った、図１Ａのマッサージ用靴の内部構造の断面の簡略図である。
【発明を実施するための形態】
【００２０】
ここで図１Ａおよび図１Ｂを参照する。図１Ａは、本発明の好ましい実施形態に従って構成されかつ作動可能である足用マッサージシステムの簡略図であり、図１Ｂは、図１Ａの線ＩＢ−ＩＢに沿って切り取った、図１Ａのマッサージ用靴（massage shoe）の内部構造の断面の簡略図である。
【００２１】
図１Ａおよび１Ｂの足用マッサージシステムは、好ましくは、少なくとも１つのマッサージ用靴を有し、該靴は、靴本体部分を有し、該靴本体部分は、振動伝達材料から形成されており、かつ内側表面を有し、該内側表面は、複数の一体的に形成された隆起した表面要素を有し、かつ、前記靴は、バイブレータを有し、該バイブレータは、振動を生成するように作動可能である。前記振動は、好ましくは、前記振動伝達材料および前記一体的に形成された隆起した表面要素を介して、前記靴の着用者の足に伝達され、それにより、前記靴の着用者の足にマッサージの感覚を提供する。前記靴は、好ましくは、マッサージ制御システムを有し、該マッサージ制御システムは、前記靴の前記バイブレータを制御するように作動可能である。
【００２２】
前記振動伝達材料は、好ましくは、エチレン酢酸ビニール等のエラストマー材料である。前記バイブレータは、好ましくは、電源を有し、かつ、前記振動を生成する内蔵モータ機構を有する。
【００２３】
図１Ａに示されるように、複数の、好ましくは一体的に形成された隆起した表面要素１００は、好ましくは、マッサージ用靴１０２の内側表面の全体にわたって分布しており、該分布は、着用者の足の底面、側面および上面に係合する部分を含む。代替的には、前記着用者の足の底面に係合する前記隆起した表面要素１００は、靴用中敷き上に一体的に形成されていてもよく、該靴用中敷きは、靴１０２に挿入されるものである。
【００２４】
好ましくは、伸縮性ゴア１０４が、靴１０２の上面に形成され、靴１０２のぴったりしたフィットを着用者の足に提供する。追加的には、着用者の足への靴１０２の更なる固定のために、固定用ストラップ１０６が設けられることが好ましい。
【００２５】
好ましくは、電池等の充電式電源１０７（図１Ｂ）が、靴１０２に電力を提供するために、一体的に設けられる。好ましくは、充電式電源１０７を外部電源へ接続するために、電気接続１０８が設けられ、それにより、その充電が可能となる。
【００２６】
好ましくは、一対の靴１０２の各々のモータ機構を制御するために、電池駆動式遠隔制御デバイス１１０が設けられる。好ましくは、遠隔制御デバイス１１０は、一対の靴１０２の各々のモータ機構を、数種類の作動速度の１つにて作動するように、および、選択可能な期間にわたって作動するように、設定するために使用され得る。
【００２７】
ここで図１Ｂに移ると、振動を生成するように作動可能であるモータ機構１１８が、靴１０２の底に埋め込まれているのが示されている。モータ機構１１８は、好ましくは、集積回路１２０を有し、集積回路１２０は、モータ機構１１８を制御するように作動可能である遠隔制御デバイス１１０から、制御入力を受け取るためのものである。モータ機構１１８は、２つの別個の偏心駆動モータ１２２および１２４を有し、これらの各々は振動を提供し、該振動が、靴１０２のそれぞれ前方部分および後方部分の全体にわたって伝達される。駆動モータ１２２および１２４を収容し、それにより駆動モータ１２２および１２４を音響的に遮断するために、駆動モータ用ケーシング１２５が設けられる。電気接続１０８（図１Ａ）を介して充電可能な充電式電池１０７が、集積回路１２０ならびにモータ１２２および１２４に電力を提供する。
【００２８】
本発明の特有の特徴は、エラストマー材料の振動伝達特性と、２つの別個の偏心駆動モータ１２２および１２４との組み合わせが、一緒になって、複数の一体的に形成された隆起した表面要素への、マッサージ用靴１０２全体にわたる振動の概して均一な分散を達成し、それにより、靴１０２の着用者の足の底面のみならず、側面および上面部分にも、マッサージの感覚を提供することである。本発明の別の特有の特徴は、複数の一体的に形成された隆起した表面要素への、マッサージ用靴１０２全体にわたる振動の概して均一な分散が、着用者の足における血液循環を改善するように作動可能であることである。
【００２９】
以上で特に示し、記載したものに本発明が限定されないことは、当業者に理解されるであろう。むしろ、本発明は、上述した特徴の種々の組み合わせおよび部分的組み合わせ、ならびに、以上を読んだ当業者が想起するであろう、先行技術にはない、それらの改良および変形を含む。
【図１Ａ】
2014507212.tif 000003
【図１Ｂ】
2014507212.tif 000004
【国際調査報告】
2014507212.tif 000005
2014507212.tif 000006